【事件の表示】
　特願２０１３−２２５１１８号「遊技機」拒絶査定不服審判事件〔平成２７年　５月　７日出願公開、特開２０１５−　８４８９５号〕について、次のとおり審決する。
【結　論】
　本件審判の請求は、成り立たない。
【理　由】
第１　手続の経緯
　本願は，平成２５年１０月３０日に出願したものであって，平成２８年５月１１日付けで拒絶理由が通知され，これに対し同年７月１１日に意見書及び手続補正書が提出され，同年１２月２２日付けで拒絶査定がなされ（発送日：平成２９年１月１０日），これに対して平成２９年４月４日に拒絶査定不服審判の請求がなされ，その審判請求と同時に手続補正がなされ，同年５月８日に前置報告がなされ，これに対して同年６月１４日に上申書が提出されたものである。
第２　平成２９年４月４日付けの手続補正についての補正の却下の決定
［補正の却下の決定の結論］
　平成２９年４月４日付けの手続補正（以下「本件補正」という。）を却下する。
［理由］
１　本件補正の概要
　本件補正は特許請求の範囲の請求項１に対する補正を含むものであり，平成２８年７月１１日付けの手続補正と本件補正の特許請求の範囲の請求項１の記載はそれぞれ，以下のとおりである（下線部は本件補正の補正箇所を示す。）。
（補正前：平成２８年７月１１日付けの手続補正）
「【請求項１】
　所定の遊技が可能な遊技機であって，
　遊技に関連する演出音を出力可能な演出音出力部と，
　遊技者の動作を検出可能な検出部と，
　前記演出音出力部から出力される演出音の音量を，該遊技機が設置されている遊技店側が設定可能な第１設定手段と，
　前記演出音出力部から出力される演出音の音量を，前記検出部での検出により遊技者側が設定可能な第２設定手段と，
　前記第２設定手段により設定される音量を前記検出部での検出がなされたことに基づいて段階的に変更可能な音量変更手段と，
　前記検出部での検出がなされたときに，該検出後に前記第２設定手段により設定される音量に対応する確認音を前記演出音出力部から出力するための処理を実行する確認音出力手段と，
　前記第２設定手段にて設定される音量を認識可能に表示する表示手段と，
を備え，
　前記第２設定手段は，所定範囲内で前記音量の設定が可能であり，
　前記確認音出力手段は，
　前記第２設定手段により設定される音量が所定範囲の上限にある場合において，当該音量を前記所定範囲の上限外へ変更するように前記検出部での検出がなされたときには確認音を出力するための処理を実行せず，
　前記表示手段は，前記第１設定手段により新たに音量が設定された場合には，当該新たに設定された音量にもとづき，前記第２設定手段にて設定される音量表示を行う
　ことを特徴とする遊技機。」
（補正後：本件補正である平成２９年４月４日付け手続補正）
「【請求項１】
　所定の遊技が可能な遊技機であって，
　遊技に関連する演出音を出力可能な演出音出力部と，
　遊技者の動作を検出可能な検出部と，
　前記演出音出力部から出力される演出音の音量を，該遊技機が設置されている遊技店側が設定可能な第１設定手段と，
　前記演出音出力部から出力される演出音の音量を，前記検出部での検出により遊技者側が設定可能な第２設定手段と，
　前記第２設定手段により設定される音量を前記検出部での検出がなされたことに基づいて段階的に変更可能な音量変更手段と，
　前記検出部での検出がなされたときに，該検出後に前記第２設定手段により設定される音量に対応する確認音を前記演出音出力部から出力するための処理を実行する確認音出力手段と，
　前記第２設定手段にて設定される音量を認識可能に表示する表示手段と，
　を備え，
　前記第２設定手段は，所定範囲内で前記音量の設定が可能であり，
　前記確認音出力手段は，
　
一の確認音の出力が終了してから新たな確認音を出力し，
　前記第２設定手段により設定される音量が所定範囲の上限にある場合において，当該音量を前記所定範囲の上限外へ変更するように前記検出部での検出がなされたときには前記所定範囲の上限の音量に対応した確認音を出力するための処理を実行し，
　前記表示手段は，前記第１設定手段により新たに音量が設定された場合には，当該新たに設定された音量にもとづき，前記第２設定手段にて設定される音量表示を行う
　ことを特徴とする遊技機。」
２　補正の適否
（１）補正事項
　本件補正は，補正前の請求項１について，以下に挙げる補正事項を含むものである。
ア　補正前の請求項１に記載された発明特定事項である「確認音出力手段」に関して，「
一の確認音の出力が終了してから新たな確認音を出力し，
（２）補正の目的等についての検討
　補正事項アは，「確認音出力手段」について「
一の確認音の出力が終了してから新たな確認音を出力
　そして，本件補正は，本願の願書に最初に添付した特許請求の範囲，明細書及び図面（以下，「当初明細書等」という。）の段落【０２５７】の記載に基づくものであるから，新規事項を追加するものではない。
３　独立特許要件
　そこで，本件補正後の請求項１に記載された事項により特定される発明が特許出願の際独立して特許を受けることができるものであるか否か，すなわち，特許法第１７条の２第６項において準用する同法第１２６条第７項の規定に適合するか否か，について以下に検討する。
（１）本件補正後の請求項１に記載された事項により特定される発明
　本件補正後の請求項１に記載された事項により特定される発明（以下，「本願補正発明」という。）は，上記「１　本件補正の概要」に本件補正後の請求項１として記載した以下のとおりのものである（Ａ〜Ｉは，本願補正発明を分説するために当審で付した。）。
「Ａ　所定の遊技が可能な遊技機であって，
Ｂ　遊技に関連する演出音を出力可能な演出音出力部と，
Ｃ　遊技者の動作を検出可能な検出部と，
Ｄ　前記演出音出力部から出力される演出音の音量を，該遊技機が設置されている遊技店側が設定可能な第１設定手段と，
Ｅ−１　前記演出音出力部から出力される演出音の音量を，前記検出部での検出により遊技者側が設定可能な第２設定手段と，
Ｆ　前記第２設定手段により設定される音量を前記検出部での検出がなされたことに基づいて段階的に変更可能な音量変更手段と，
Ｇ−１　前記検出部での検出がなされたときに，該検出後に前記第２設定手段により設定される音量に対応する確認音を前記演出音出力部から出力するための処理を実行する確認音出力手段と，
Ｈ−１　前記第２設定手段にて設定される音量を認識可能に表示する表示手段と，
　を備え，
Ｅ−２　前記第２設定手段は，所定範囲内で前記音量の設定が可能であり，
Ｇ−２　前記確認音出力手段は，
　一の確認音の出力が終了してから新たな確認音を出力し，
Ｇ−３　前記第２設定手段により設定される音量が所定範囲の上限にある場合において，当該音量を前記所定範囲の上限外へ変更するように前記検出部での検出がなされたときには前記所定範囲の上限の音量に対応した確認音を出力するための処理を実行し，
Ｈ−２　前記表示手段は，前記第１設定手段により新たに音量が設定された場合には，当該新たに設定された音量にもとづき，前記第２設定手段にて設定される音量表示を行う
　ことを特徴とする
Ｉ　遊技機。」
（２）刊行物に記載された事項
　原査定の平成２８年５月１１日付け拒絶理由に引用された本願の出願前に頒布された刊行物である特開２００７−８９６４９号公報（以下，「刊行物１」という。）には，図面とともに次の事項が記載されている（下線は当審で付した。）。
（ア）「【００９４】
　サブ制御装置２６２は，主制御装置２６１からのコマンドに基づいて
装飾図柄の変動表示に応じた演出用スピーカ６１０等の鳴動制御
（イ）「【０１９５】
　（音響に関連する主たる構成）
　ここで，本発明のパチンコ機の主たる特徴部分の構成について，図２８を参照して説明する。図２８は，本形態に係る
パチンコ機１０
（ウ）「【０２０９】
　音量制御手段７３０は，音響制御手段７００で生成された音響制御コマンド（音響制御情報）に基づいて，音量系統情報及び設定音量情報群を参照して音量指示情報を生成し，生成された音量指示情報を含む音量信号を音響装置６１０に出力する。
【０２１０】
　本形態では，音量制御手段７３０は，サブ制御装置における音量系統決定部７３１，音量決定部７３２及び音量信号生成部７３３で構成されている。音量系統決定部７３１は，音量系統情報を参照して，音響制御手段からの音響制御コマンドの種類に応じて，その音響制御コマンドが属する音量系統を決定する。なお，本形態では，音響制御コマンドの種類は，コマンド識別子の種類を意味し，音量系統決定部７３１における音量系統の決定においては，音響制御コマンドのうちコマンド識別子の情報のみを用いている。この場合，音量制御コマンドの全体の情報を用いる場合よりも音量系統テーブルのデータ量を減少させることができ，また，音量系統の種類を決定する処理を高速化できる。
音量決定部７３２は，設定音量情報群を参照して，音量系統決定部７３１で決定された音量系統に対応する設定音量情報を決定する。
音量信号生成部７３３は，音量決定部７３２で決定された設定音量情報を含む音量信号（音量指示情報）を生成して出力する。
（エ）「【０２１２】
　
音量入力装置６２０は
遊技者によって操作される。
音量入力装置６２０は
十文字形状の音量調節ボタン８１
を備え
【０２１３】
　
入力情報検知手段６２１は，音量入力装置６２０の操作に応じた入力情報を検知する。
【０２１４】
　候補音量情報保持手段７０４は，選択音量系統群に対応する候補音量情報を保持する。本形態では，遊技者可変の音量系統群（第１の音量系統〜第４の音量系統）の各々に対応する候補音量値（候補音量情報）を保持している。
【０２１５】
　
設定音量制御手段７４０は，音量入力装置６２０の操作に応じて，
設定音量情報群を更新する。
【０２１６】
　本形態では，設定音量制御手段７４０は，候補音量決定部７４１，候補音量変更部７４２及び設定音量変更部７４３とで構成されている。候補音量決定部７４１は，変更対象である音量系統（選択音量系統）を決定したり，音量情報群と共に選択音量系統の候補音量情報を参照して，選択音量系統に対応する新たな候補音量情報を決定したりする。また，候補音量変更部７４２は，候補音量情報保持手段７０４の候補音量情報を，候補音量決定部７４２で決定された新たな候補音量情報に変更する。設定音量変更部７４３は，遊技者可変の各音量系統の設定音量情報をそれらの候補音量情報に変更する。
【０２１７】
　音量告知手段７６０は，少なくとも選択音量系統群を含む所定の音量系統群に対応する候補音量情報を告知する。本形態では，音量告知手段７６０は，サブ制御装置２６２における音量表示信号情報部７６１と，表示制御装置４５における音量表示画像制御部６９０とで構成される。
音量表示情報生成部７６１では，遊技者可変の音量系統群の全てに対応する候補音量情報
を参照して，音量表示情報を生成する。
音量表示画像制御部６９０では，
音量表示情報に応じた音量表示画像を形成するための画像信号を生成して，装飾図柄表示装置（画像表示装置）４２に送信する。
（オ）「【０２１９】
　音量表示画像６５１には，選択可能な項目として，「
ノーマルリーチ音量」（第１の音量系統に対応）
　・・・
【０２２４】
　次に，音量調節ボタン８１の左端部又は右端部の押下によって，選択音量系統の候補音量値の選択を行う。選択音量系統が第１の音量系統である場合について説明する。音量表示画像６５１が表示されている状態において，音量調節ボタン８１の左端部が押下されると，装飾図柄表示装置４２に音量表示画像６５２が表示される。なお，音量表示画像６５２は，黒塗りの四角形の個数が１つ減少し，白抜きの四角形の個数が１つ増加すること以外は，音量表示画像６５１と同一である。なお，音量表示画像６５１が表示されている状態において，音量調節ボタン８１の右端部が押下された場合には，音量表示画像６５１と同一の音量表示画像が再描画される。
【０２２５】
　詳細には，以下の処理を経て，音量表示画像６５２が表示される。
入力情報検知手段６２１において，音量調節ボタン８１の左端部の押下が検出され
た
後に，第１の音量系統の候補音量値よりも１だけ小さい新たな候補音量値が第１の音量系統の音量値の選択範囲内であれば，第１の音量系統の候補音量値を新たな候補音量値に更新する
新たな候補音量値が第１の音量系統の音量値の選択範囲を超える場合には，候補音量値を現在の候補音量値にする。
【０２２６】
　音量調節ボタン８１の左端部又は右端部の押下は，第１の音量系統の候補音量値が所望の値になるまで繰り返し行われる。音量調節ボタン８１の左端部が押下された場合は，上記の同一の過程を経て，音量表示画像の更新が行われる。一方，
音量調節ボタン８１の右端部が押下された場合には，新たな候補音量値が現在の候補音量値よりも１だけ大きいこと以外は，左端部が押下された場合と同一の過程を経
・・・
【０２２９】
　最後に，音量表示画像６５４が表示された状態（「完了」が選択された状態）において音量調節ボタン８１の左端部又は右端部を押下することによって，音量設定情報を更新して音量調節を完了する。
第１の
音量系統
に対応する設定音量値は，上記の音量調節ボタン８１の操作によって選択された
候補音量値に変更される。
（カ）「【０２４４】
　上記においては，候補音量情報の告知を画像表示装置における画像表示で行ったが，音響装置によって特定の音声を候補音量情報に対応する音量で出力することによって候補音量情報を告知してもよい。この場合，図３８に示されたように，音量告知制御手段７６０は，更に，
候補音量情報に対応する音量を決定し，候補音量信号を生成する音量決定部７６２と，特定の音声パターン（単なるビープ音）を決定し，候補音声信号を生成する音声決定部７６３
音響装置６１０では，候補音声信号に応じた音声を候補音量信号に応じた音量で出力する。
（キ）「【符合の説明】
【０２５１】
・・・
６１０：音響装置（スピーカ）
・・・」
　上記記載事項（ア）〜（キ）より，以下の事項が導かれる。
　なお，（ａ）〜（ｉ）は本願補正発明の構成Ａ〜Ｉに対応した事項を示している。
（ａ）上記段落【０１９５】には「パチンコ機１０」が記載されており，刊行物１には，
　
パチンコ機１０
（ｂ）上記段落【００９４】には「装飾図柄の変動表示に応じた演出用スピーカ６１０等の鳴動制御」と記載され，上記段落【０２５１】には，「６１０：音響装置（スピーカ）」と記載されているから，刊行物１には，
　
装飾図柄の変動表示に応じて鳴動制御される，音響装置である演出用スピーカ６１０
（ｃ）上記段落【０２１２】には「音量入力装置６２０は・・・遊技者によって操作される。」及び「音量入力装置６２０は，・・・十文字形状の音量調節ボタン８１・・・を備え・・・」と記載され，上記段落【０２１３】には「入力情報検知手段６２１は，音量入力装置６２０の操作に応じた入力情報を検知する。」と記載されているから，刊行物１には，
　
十文字形状の音量調節ボタン８１を備え，遊技者によって操作される音量入力装置６２０と，当該音量入力装置６２０の操作に応じた入力情報を検知する入力情報検知手段６２１
（ｅ）上記段落【０２１９】には「ノーマルリーチ音量」（第１の音量系統に対応）」と記載され，上記段落【０２２５】には「入力情報検知手段６２１において，音量調節ボタン８１の左端部の押下が検出され・・・た・・・後に，第１の音量系統の候補音量値よりも１だけ小さい新たな候補音量値が第１の音量系統の音量値の選択範囲内であれば，第１の音量系統の候補音量値を新たな候補音量値に更新する」，「新たな候補音量値が第１の音量系統の音量値の選択範囲を超える場合には，候補音量値を現在の候補音量値にする。」と記載され，上記段落【０２２６】には「音量調節ボタン８１の右端部が押下された場合には，新たな候補音量値が現在の候補音量値よりも１だけ大きいこと以外は，左端部が押下された場合と同一の過程を経」ることが記載されているから，刊行物１には，
　第１の音量系統であるノーマルリーチ音量について，入力情報検知手段６２１において音量調節ボタン８１の右端部の押下が検出された後に，
　候補音量値よりも１だけ大きい新たな候補音量値が第１の音量系統の音量値の選択範囲内の場合には，第１の音量系統の候補音量値を新たな候補音量値に更新し，候補音量値よりも１だけ大きい新たな候補音量値が第１の音量系統の音量値の選択範囲を越える場合には，第１の音量系統の候補音量値を現在の候補音量値とする処理（以下，「処理１」という。）を行うことが記載されているといえる。
　また，上記段落【０２２９】には「第１の・・・音量系統・・・に対応する設定音量値は，上記の音量調節ボタン８１の操作によって選択された・・・候補音量値に変更される。」と記載されているので，刊行物１には，
　第１の音量系統に対応する設定音量値を，上記の音量調節ボタン８１の操作によって選択された候補音量値に変更する処理（以下，「処理２」という。）を行うことが記載されているといえる。
　
　そして，上記段落【０２１５】には「設定音量制御手段７４０は，音量入力装置６２０の操作に応じて，・・・設定音量情報群を更新する。」と記載されているから，上記処理１及び処理２は，設定音量制御手段７４０により行われていることは明らかである。
　以上検討したことをまとめると，刊行物１には，
・第１の音量系統であるノーマルリーチ音量について，入力情報検知手段６２１において音量調節ボタン８１の右端部の押下が検出された後に，
　候補音量値よりも１だけ大きい新たな候補音量値が第１の音量系統の音量値の選択範囲内の場合には，第１の音量系統の候補音量値を新たな候補音量値に更新し，候補音量値よりも１だけ大きい新たな候補音量値が第１の音量系統の音量値の選択範囲を越える場合には，第１の音量系統の候補音量値を現在の候補音量値とする処理（処理１）と，
・第１の音量系統に対応する設定音量値を，上記の音量調節ボタン８１の操作によって選択された候補音量値に変更する処理（処理２）と
を行う設定音量制御手段７４０
（ｆ）上記段落【０２１０】には「音量制御手段７３０は，・・・音量系統決定部７３１，音量決定部７３２及び音量信号生成部７３３で構成されている。」，「音量決定部７３２は，設定音量情報群を参照して，音量系統決定部７３１で決定された音量系統に対応する設定音量情報を決定する。」，「音量信号生成部７３３は，音量決定部７３２で決定された設定音量情報を含む音量信号（音量指示情報）を生成して出力する。」と記載されているから，刊行物１には，
　
設定音量情報群を参照して，音量系統決定部７３１で決定された音量系統に対応する設定音量情報を決定する音量決定部７３２と，
　
音量決定部７３２で決定された，設定音量情報を含む音量信号を生成して出力する音量信号生成部７３３を有する音量制御手段７３０
（ｇ）上記段落【０２４４】には「候補音量情報に対応する音量を決定し，候補音量信号を生成する音量決定部７６２」，「特定の音声パターン（単なるビープ音）を決定し，候補音声信号を生成する音声決定部７６３」，「音響装置６１０では，候補音声信号に応じた音声を候補音量信号に応じた音量で出力する。」と記載されているから，刊行物１には，
　
音響装置６１０に，候補音声信号に応じた音声を候補音量情報に応じた音量で出力させるために，
　
候補音量情報に対応する音量を決定する音量決定部７６２と，
　
特定の音声パターン（単なるビープ音）を決定し，候補音声信号を生成する音声決定部７６３とを有すること
（ｈ）上記段落【０２１７】には「音量表示情報生成部７６１では，遊技者可変の音量系統群の全てに対応する候補音量情報・・・を参照して，音量表示情報を生成する。」，「音量表示画像制御部６９０では，・・・音量表示情報に応じた音量表示画像を形成するための画像信号を生成して，装飾図柄表示装置（画像表示装置）４２に送信する。」と記載されているから，刊行物１には，
　
遊技者可変の音量系統群の全てに対応する候補音量情報を参照して，音量表示情報を生成する音量表示情報生成部７６１と，
　
音量表示情報に応じた音量表示画像を形成するための画像信号を生成して，装飾図柄表示装置（画像表示装置）４２に送信する音量表示画像制御部６９０と，
　
音量表示画像を表示する装飾図柄表示装置（画像表示装置）４２
（ｉ）上記（ａ）のとおり，刊行物１には，
　
パチンコ機１０
　上記記載事項（ア）〜（キ）及び上記の認定事項（ａ）〜（ｉ）から，刊行物１には，次の発明（以下，「引用発明１」という。）が記載されていると認められる。
　
「ａ　パチンコ機１０であって，
ｂ　装飾図柄の変動表示に応じて鳴動制御される，音響装置である演出用スピーカ６１０と，
ｃ　十文字形状の音量調節ボタン８１を備え，遊技者によって操作される音量入力装置６２０と，当該音量入力装置６２０の操作に応じた入力情報を検知する入力情報検知手段６２１と，
ｅ・第１の音量系統であるノーマルリーチ音量について，入力情報検知手段６２１において音量調節ボタン８１の右端部の押下が検出された後に，
　候補音量値よりも１だけ大きい新たな候補音量値が第１の音量系統の音量値の選択範囲内の場合には，第１の音量系統の候補音量値を新たな候補音量値に更新し，候補音量値よりも１だけ大きい新たな候補音量値が第１の音量系統の音量値の選択範囲を越える場合には，第１の音量系統の候補音量値を現在の候補音量値とする処理（処理１）と，
・第１の音量系統に対応する設定音量値を，上記の音量調節ボタン８１の操作によって選択された候補音量値に変更する処理（処理２）と
を行う設定音量制御手段７４０と，
ｆ　設定音量情報群を参照して，音量系統決定部７３１で決定された音量系統に対応する設定音量情報を決定する音量決定部７３２と，
　音量決定部７３２で決定された設定音量情報を含む音量信号を生成して出力する音量信号生成部７３３を有する音量制御手段７３０を有し，
ｇ　音響装置６１０に，候補音声信号に応じた音声を候補音量情報に応じた音量で出力させるために，
　候補音量情報に対応する音量を決定する音量決定部７６２と，
　特定の音声パターン（単なるビープ音）を決定し，候補音声信号を生成する音声決定部７６３とを有するとともに，
ｈ　遊技者可変の音量系統群の全てに対応する候補音量情報を参照して，音量表示情報を生成する音量表示情報生成部７６１と，
　音量表示情報に応じた音量表示画像を形成するための画像信号を生成して，装飾図柄表示装置（画像表示装置）４２に送信する音量表示画像制御部６９０と，
　音量表示画像を表示する装飾図柄表示装置（画像表示装置）４２を有する
ｉ　パチンコ機１０。」
（３）対比
（ａ）引用発明１の「パチンコ機１０」は，パチンコという遊技が可能な遊技機であることが明らかである。したがって，引用発明１の「パチンコ機１０」は，
　本願補正発明の「所定の遊技が可能な遊技機」に相当する。
（ｂ）引用発明１の「装飾図柄の変動表示に応じて鳴動制御される」ことは，本願補正発明の「遊技に関連する演出音を出力」していることに相当する。
　したがって，引用発明１の「装飾図柄の変動表示に応じて鳴動制御される，音響装置である演出用スピーカ６１０」は，
　本願補正発明の「遊技に関連する演出音を出力可能な演出音出力部」の機能を有するといえる。
（ｃ）引用発明１の「音量入力装置６２０」は遊技者によって操作されるものであるので，引用発明１の「当該音量入力装置６２０の操作に応じた入力情報を検知する」ことは，本願補正発明における「遊技者の動作を検出」していることに相当する。
　してみると，引用発明１の「十文字形状の音量調節ボタン８１を備え，遊技者によって操作される音量入力装置６２０と，当該音量入力装置６２０の操作に応じた入力情報を検知する入力情報検知手段６２１」は，
　本願補正発明の「遊技者の動作を検出可能な検出部」の機能を有するといえる。
（ｅ）引用発明１の「第１の音量系統であるノーマルリーチ音量」について，ノーマルリーチ音は演出音であることは，当業者にとって明らかである。また，引用発明１の「第１の音量系統の音量値の選択範囲」は，本願補正発明の「所定範囲」に相当する。
　してみると，引用発明１の
「・第１の音量系統であるノーマルリーチ音量について，入力情報検知手段６２１において音量調節ボタン８１の右端部の押下が検出された後に，
　候補音量値よりも１だけ大きい新たな候補音量値が第１の音量系統の音量値の選択範囲内の場合には，第１の音量系統の候補音量値を新たな候補音量値に更新し，候補音量値よりも１だけ大きい新たな候補音量値が第１の音量系統の音量値の選択範囲を越える場合には，第１の音量系統の候補音量値を現在の候補音量値とする処理（処理１）と，
・第１の音量系統に対応する設定音量値を，上記の音量調節ボタン８１の操作によって選択された候補音量値に変更する処理（処理２）と
を行う設定音量制御手段７４０」は，
　本願補正発明の「前記演出音出力部から出力される演出音の音量を，前記検出部での検出により遊技者側が設定可能な第２設定手段」であって，「所定範囲内で前記音量の設定が可能であ」る第２設定手段の機能を有するといえる。
（ｆ）引用発明１においては，「設定音量情報群を参照して，音量系統決定部７３１で決定された音量系統に対応する設定音量情報を決定する音量決定部７３２と，音量決定部７３２で決定された設定音量情報を含む音量信号（音量指示情報）を生成して出力する音量信号生成部７３３を有する音量制御手段７３０」を備えている。
　ここで，上記設定音量情報群に含まれる設定音量値については，上記「（２）（ｅ）」に示したように，
　・第１の音量系統であるノーマルリーチ音量について，入力情報検知手段６２１において音量調節ボタン８１の右端部の押下が検出された後に，
　候補音量値よりも１だけ大きい新たな候補音量値が第１の音量系統の音量値の選択範囲内の場合には，第１の音量系統の候補音量値を新たな候補音量値に更新し，候補音量値よりも１だけ大きい新たな候補音量値が第１の音量系統の音量値の選択範囲を越える場合には，第１の音量系統の候補音量値を現在の候補音量値とする処理（処理１）と，
・第１の音量系統に対応する設定音量値を，上記の音量調節ボタン８１の操作によって選択された候補音量値に変更する処理（処理２）と
を行う設定音量制御手段７４０における処理２によって，変更されるものである。
　そして，刊行物１に接した当業者にとって，引用発明１においてノーマルリーチ音などの演出音の音量は，上記音量信号（音量指示情報）に基づいて制御されていることは明らかである。
　つまり，引用発明１においては，設定音量制御手段７４０における処理２により変更された設定音量値に基づいて，音量制御手段７３０において音量信号（音量指示情報）を生成することにより，演出音の音量を変更しているということができる。
　したがって，引用発明１における「設定音量情報群を参照して，音量系統決定部７３１で決定された音量系統に対応する設定音量情報を決定する音量決定部７３２と，音量決定部７３２で決定された設定音量情報を含む音量信号（音量指示情報）を生成して出力する音量信号生成部７３３を有する音量制御手段７３０」は，本願補正発明の「前記第２設定手段により設定される音量を」「変更可能な音量変更手段」の機能を有するといえる。
　さらに，引用発明１の上記設定音量制御手段７４０の処理１においては，入力情報検知手段６２１において音量調節ボタン８１の右端部の押下が検出された後に，候補音量値を１だけ大きいものに変更する処理を行うときには，候補音量値も設定音量値も段階的に（１だけ）変更されているということができる。
　してみると，引用発明１の上記音量制御手段７３０は，そのように段階的に変更される設定音量値に基づいて音量信号（音量指示情報）を生成するのであるから，その音量信号（音量指示情報）も段階的に変更可能であることは明らかである。
　よって，引用発明１における「設定音量情報群を参照して，音量系統決定部７３１で決定された音量系統に対応する設定音量情報を決定する音量決定部７３２と，音量決定部７３２で決定された設定音量情報を含む音量信号（音量指示情報）を生成して出力する音量信号生成部７３３を有する音量制御手段７３０」は，
　本願補正発明の「前記第２設定手段により設定される音量を前記検出部での検出がなされたことに基づいて段階的に変更可能な音量変更手段」の機能を有するといえる。
（ｇ）本願補正発明の構成Ｇ−１〜Ｇ−３と，引用発明１との対比
ア　本願補正発明の構成Ｇ−１と引用発明１の構成ｇとの対比
　本願補正発明の構成Ｇ−１と，引用発明１の構成ｇとを対比する。
　引用発明１の構成ｇにおける「候補音量情報」は，少なくとも引用発明１の構成ｅにおける「第１の音量系統の候補音量値」を含むことは，明らかである。
　そして，引用発明１の「第１の音量系統の候補音量値」については，上記「（２）（ｅ）」に示したように，入力情報検知手段６２１において音量調節ボタン８１の右端部の押下が検出された後に，設定音量制御手段７４０（本願補正発明の「第２設定手段」）により更新されるものである。
　してみると，引用発明１の構成ｇにおける「候補音量情報」は，本願補正発明の「前記検出部での検出がなされたときに，該検出後に前記第２設定手段により設定される音量」に相当するといえる。
　
　また，引用発明１の構成ｇにおいては「特定の音声パターン（単なるビープ音）を決定」することにより生成した候補音声信号に応じた音声を，音響装置６１０により出力するための処理が行われている。
　してみると，引用発明１の「音響装置６１０に，候補音声信号に応じた音声を候補音量情報に応じた音量で出力させる」ことは，本願補正発明の「該検出後に前記第２設定手段により設定される音量に対応する確認音を前記演出音出力部から出力する」ことに相当するといえる。
　したがって，引用発明１の構成ｇである「音響装置６１０に，候補音声信号に応じた音声を候補音量情報に応じた音量で出力させるため」の構成である「候補音量情報に対応する音量を決定する音量決定部７６２」及び「特定の音声パターン（単なるビープ音）を決定し，候補音声信号を生成する音声決定部７６３」は，
　本願補正発明の「前記検出部での検出がなされたときに，該検出後に前記第２設定手段により設定される音量に対応する確認音を前記演出音出力部から出力するための処理を実行する確認音出力手段」の機能を有するといえる。
イ　本願補正発明の構成Ｇ−２と，引用発明１の構成ｇとの対比
　本願補正発明の構成Ｇ−２と，引用発明１の構成ｇとを対比するに，本願補正発明は「前記確認音出力手段は，一の確認音の出力が終了してから新たな確認音を出力」するが，引用発明１はそのような構成を有するか不明である。
ウ　本願補正発明のＧ−３と，引用発明の構成ｇとの対比
　本願補正発明の構成Ｇ−３と，引用発明１の構成ｇとを対比する。この対比にあたり，引用発明１において「設定音量制御手段７４０」により設定される音量が「第１の音量系統の音量値の選択範囲」の上限である場合（すなわち，第２設定手段により設定される音量が，所定範囲の上限にある場合）に，引用発明１の音量決定部７６２と音声決定部７６３ではどのような処理が行われるのかについてみてみる。
　上記「（２）（ｅ）」に示したように，引用発明１は，
・第１の音量系統であるノーマルリーチ音量について，入力情報検知手段６２１において音量調節ボタン８１の右端部の押下が検出された後に，
　候補音量値よりも１だけ大きい新たな候補音量値が第１の音量系統の音量値の選択範囲内の場合には，第１の音量系統の候補音量値を新たな候補音量値に更新し，候補音量値よりも１だけ大きい新たな候補音量値が第１の音量系統の音量値の選択範囲を越える場合には，第１の音量系統の候補音量値を現在の候補音量値とする処理（処理１）と，
・第１の音量系統に対応する設定音量値を，上記の音量調節ボタン８１の操作によって選択された候補音量値に変更する処理（処理２）と
を行う設定音量制御手段７４０を備えている。
　したがって，引用発明１において，
・第１の音量系統の現在の候補音量値が，第１の音量系統の音量値の選択範囲の上限となっている場合であって，
・更に音量調節ボタン８１の右端部の押下が検出されたとき
には，上記処理１において，候補音量値よりも１だけ大きい新たな候補音量値は，第１の音量系統の音量値の選択範囲を超えることとなり，第１の音量系統の候補音量値を現在の候補音量値とする処理が行われることとなる。
　そして，このとき引用発明１の音量決定部７６２と音声決定部７６３では，現在の候補音量値である「第１の音量系統の音量値の選択範囲」の上限に対応した候補音量値に対応する音量の音声を，音響装置６１０から出力するための処理が行われることになることは，当業者にとって明らかである。
　してみると，引用発明１の音量決定部７６２と音声決定部７６３は，本願補正発明の「前記第２設定手段により設定される音量が所定範囲の上限にある場合において，当該音量を前記所定範囲の上限外へ変更するように前記検出部での検出がなされたときには前記所定範囲の上限の音量に対応した確認音を出力するための処理を実行」する確認音出力手段の機能を有するといえる。
エ　本願補正発明の構成Ｇ−１〜Ｇ−３と，引用発明１との対比のまとめ
　以上をまとめると，引用発明１における「音響装置６１０に，候補音声信号に応じた音声を候補音量情報に応じた音量で音声を出力させるために，
　候補音量情報に対応する音量を決定する音量決定部７６２と，
　特定の音声パターン（単なるビープ音）を決定し，候補音声信号を生成する音声決定部７６３とを有する」ことについては，
　本願補正発明と「前記検出部での検出がなされたときに，該検出後に前記第２設定手段により設定される音量に対応する確認音を前記演出音出力部から出力するための処理を実行する確認音出力手段」を有し，
「前記確認音出力手段」は，
「前記第２設定手段により設定される音量が所定範囲の上限にある場合において，当該音量を前記所定範囲の上限外へ変更するように前記検出部での検出がなされたときには前記所定範囲の上限の音量に対応した確認音を出力するための処理を実行」する点で共通するといえる。
（ｈ）引用発明１の構成ｈにおける「音量表示画像を表示する装飾図柄表示装置（画像表示装置）４２」は，遊技者可変の音量系統群の全てに対応する候補音量情報を参照して生成された音量表示情報に応じて，「音量表示画像制御部６９０」により生成された音量表示画像を表示するものである。
　そして，上記候補音量情報は，上記（ｅ）に示した設定音量制御手段７４０により更新される第１の音量系統の候補音量値を含むものである。
　したがって，引用発明１の「音量表示画像を表示する装飾図柄表示装置（画像表示装置）４２」は，
　本願補正発明の「第２設定手段にて設定される音量を認識可能に表示する表示手段」の機能を有するといえる。
（ｉ）引用発明１の「パチンコ機１０」は，
　本願補正発明の「遊技機」に相当する。
　上記（ａ）〜（ｉ）から，本願補正発明と引用発明とは，
［一致点］
Ａ　所定の遊技が可能な遊技機であって，
Ｂ　遊技に関連する演出音を出力可能な演出音出力部と，
Ｃ　遊技者の動作を検出可能な検出部と，
Ｅ−１　前記演出音出力部から出力される演出音の音量を，前記検出部での検出により遊技者側が設定可能な第２設定手段と，
Ｆ　前記第２設定手段により設定される音量を前記検出部での検出がなされたことに基づいて段階的に変更可能な音量変更手段と，
Ｇ−１　前記検出部での検出がなされたときに，該検出後に前記第２設定手段により設定される音量に対応する確認音を前記演出音出力部から出力するための処理を実行する確認音出力手段と，
Ｈ−１　前記第２設定手段にて設定される音量を認識可能に表示する表示手段と，
　を備え，
Ｅ−２　前記第２設定手段は，所定範囲内で前記音量の設定が可能であり，
Ｇ−３　前記確認音出力手段は，前記第２設定手段により設定される音量が所定範囲の上限にある場合において，当該音量を前記所定範囲の上限外へ変更するように前記検出部での検出がなされたときには前記所定範囲の上限の音量に対応した確認音を出力するための処理を実行する
Ｉ　遊技機。」
　である点で一致し，以下の点で相違する。
［相違点１］（構成Ｄ）
　本願補正発明では「前記演出音出力部から出力される演出音の音量を，該遊技機が設置されている遊技店側が設定可能な第１設定手段」を有するのに対し，
　引用発明１ではそのような構成であるか不明である点。
［相違点２］（構成Ｇ−２）
　第２設定手段により設定される音量に対応する確認音を出力する確認音出力手段に関し，本願補正発明では「一の確認音の出力が終了してから新たな確認音を出力」しているのに対し，
　引用発明１ではそのような構成であるか不明である点。
［相違点３］（構成Ｈ−２）
　第２設定手段にて設定される音量を認識可能に表示する表示手段に関し，本願補正発明では「前記第１設定手段により新たに音量が設定された場合には，当該新たに設定された音量にもとづき，前記第２設定手段にて設定される音量表示を行う」のに対して，
　引用発明１では，設定音量制御手段７４０（第２設定手段）により設定される音量を表示しているものの，この音量表示と遊技店側による音量設定との関係が不明である点。
（４）判断
ア　相違点１，３について
　相違点１，３については，ともに遊技店側の音量設定に関するものであって，相違点２とは直接関連しないものである。したがって，以下では相違点１，３についてまとめて検討する。
　本願出願時の遊技機の技術分野において，遊技店側で新たに音量を設定すると，その新たに設定された音量に基づいて，遊技者側にて音量設定のための表示を行わせるという技術事項は周知（以下，この技術事項を「周知技術１」という。）である。
　この周知技術１は，例えば，
　特開２０１１−２００５１１号公報（特に，段落【０１１２】に「設定回転子８３ａは，スピーカ２７Ｌ，２７Ｒ，２７ａ，２７ｂから出力される音の音量範囲と初期音量を，遊技場の関係者（係員）が設定する部分であり，・・・遊技者が変更可能な音量の下限音量（下段の回転ボリューム；外周突起部の色が白），
初期（デフォルト）音量（中段の回転ボリューム；外周突起部の色が黒）
これらスピーカ音量が格納されていないときには，音量範囲設定部８３の設定回転子８３ａにて設定されている初期音量
　特開２００５−２８８０２０号公報（特に，段落【００５３】には「
初期音量は、
遊技店が設定できる。
表示される音量インジケータ４１は初期音量を示す
に記載されている。
　ここで，引用発明１と上記周知技術１とは，ともに遊技機の技術分野に属し，遊技者側による音量調整を可能とする点で共通の構成を有している。
　してみると，引用発明１における遊技者側による音量調整について，遊技店側で新たに音量を設定すると，その新たに設定された音量に基づいて，遊技者側にて音量設定のための表示を行わせるという周知技術１を適用して，上記相違点１，３に係る本願補正発明の構成とすることは，当業者が容易になし得ることである。
イ　相違点２について
　相違点２について検討する。
　本願出願時の電子機器の音量調整の技術分野において，音量調整の操作を行うと確認音を出力するとともに，この確認音の出力中に再度音量調整の操作を行うと現在出力中の確認音を中断することにより終了させて，新たな確認音を出力するという技術事項は，周知技術（以下，この技術事項を「周知技術２」という。）である。
　この周知技術２は，例えば，
　特開２００２−２１８３５１号公報（段落【００４０】に「先ず，全音声発音時間がＬで，現在の音量設定値が“０”である場合，時刻ｔ１でリモコンの設定キーを１回押して音量設定値を“１”にすると，音声メモリ１に記憶されている所定の音声データが音量設定値“１”に対応する音量の確認音Ｗ１で発音される。
確認音Ｗ１が発音開始された後，ユーザが音量の大きさを判定し，全発音時間Ｌが経過する前の時刻ｔ２で更に設定キーを１回押して音量設定値を“２”に変更すると，その時点で発音中の確認音Ｗ１が中断され，新たに音量設定値“２”に対応する音量の確認音Ｗ２が発音開始される。
　特開２００７−２６７９５５号公報（段落【００５３】には「報知手段３１は報知切り換え手段３３による切り換えに従い，切り換えられた音量を音声報知手段３１ａにより音声で報知できる。」と記載され，段落【００５７】には「また、音量の切り換えに伴なう音や音声による報知は、切り換えられた音量にて行うようにしている。」と記載され，段落【００５４】には「この場合，
音声報知手段３１ａによる切り換えられた音量の音声報知中に，別の音量に切り換えられたとき，制御手段３４はその時点の音量の音声報知を中断し，切り換えられた別の音量につき音声報知手段３１ａにより音声報知するようにする。
切り換えを有効とする待ち時間ｔが経過しないデータＤ１
の報知途中
次の切り換え操作で別の音量例えば「中」に切り換えられたとき、制御手段３４がその時点の音量の報知１を中断し、切り換えられた別の音量「中」についての音声での報知２を行い、
にも記載されているように，対象とする機器の分野を問わず周知である。
　そして，引用発明１と周知技術２とは，ともに利用者による音量調節ができる電子機器であるという点で関連する技術分野に属するといえ，更に音量調節の状態について，利用者に音声で報知するという点において共通の作用，機能を有しているといえる。
　したがって，引用発明１において，設定される音量に対応する確認音について，確認音の出力中に再度音量調整の操作を行うと現在出力中の確認音を中断することにより終了させて新たな確認音を出力するという周知技術２を適用して，相違点２に係る本願補正発明の構成とすることは，当業者にとって容易である。
　そして，本願補正発明の効果について検討してみても，刊行物１，周知技術１，周知技術２から当業者が予想する範囲のものであり，格別なものとは認められない。
（５）請求人の主張について
　請求人は，平成２９年６月１４日付けの上申書において「補正後の請求項１に係る発明は，「一の確認音の出力が終了してから新たな確認音を出力」するものでありますので，そもそも音の重複を生じることはありません。仮に，一の確認音の出力が終了したときと新たな確認音の出力が開始されたときとの間隔がとても短く，音が連続して聴こえるように遊技者が感じたとしても，遊技者は最後部（新たな確認音における最後の部分）を把握することで現在の音量を認識できます。なお，補正後の請求項１に係る発明では，表示手段が設定される音量を認識可能に表示します。つまり，遊技者は，音量を聴覚及び視覚の両方で適切に認識できます。
　従いまして，補正後の請求項１に係る発明が「遊技者が短期間に連続して操作を行ったときに，確認音が連続して出力されてしまい，遊技者が確認音の認識に誤認を生じるおそれがなく，現在設定された音量がいずれの音量であるかを把握しやすいという有用な作用」を有することは明らかです。」と主張している。
　この主張について検討する。上記のとおり引用発明１と周知技術２から導かれる発明における確認音（調整音）は，確認音の出力中に再度音量調整の操作を行うと現在出力中の確認音を中断することにより終了させて，新たな確認音を出力するものであるので，確認音の重複が生じないものであって，上記主張における「遊技者が短期間に連続して操作を行ったときに，確認音が連続して出力されてしまい，遊技者が確認音の認識に誤認を生じるおそれがなく，現在設定された音量がいずれの音量であるかを把握しやすいという有用な作用」を有することも明らかである。
　よって，上記主張における，本願補正発明の上記「有用な作用」は，引用発明１及び周知技術２から予測しうるものといえるので，請求人の主張は採用できない。
（６）まとめ
　したがって，本願補正発明は，引用発明１，周知技術１及び周知技術２に基づいて当業者が容易に発明をすることができたものであるので，特許法第２９条第２項の規定に基づいて特許出願の際独立して特許を受けることができない。
　よって，本件補正は，特許法第１７条の２第６項にて準用する同法第１２６条第７項の規定に違反するので，同法第１５９条第１項において読み替えて準用する同法第５３条第１項の規定により却下すべきものである。
第３　本願発明
　本件補正は，上記のとおり却下されることとなったので，本願の請求項１に係る発明は，平成２８年７月１１日付け手続補正書により補正された特許請求の範囲の請求項１に記載された事項により特定されるとおりのものであるところ，その請求項１に係る発明（以下，「本願発明」という。）は，上記「第２［理由］１」に本件補正前の請求項１として記載したとおりのものである。
１　刊行物１
　原査定の平成２８年５月１１日付け拒絶理由に引用された本願出願前に頒布された刊行物１の記載事項及び引用発明１の認定については，上記「第２［理由］３（２）」に記載したとおりである。
２　対比・判断
　本願発明は，上記「第２［理由］１」で検討した本願補正発明から，
ア　「確認音出力手段」について「
一の確認音の出力が終了してから新たな確認音を出力
　このような本願発明は，上記本願補正発明から，上記「第２［理由］３（３）」で示した本願補正発明と引用発明１の相違点である［相違点２］に関する構成を省いたものといえる。したがって，本願発明と，引用発明１とは上記［相違点１］及び［相違点３］で相違する。
　しかしながら，上記「第２［理由］３（４）」に示したとおり，引用発明１に上記周知技術１を適用して，相違点１，３に係る本願発明の構成とすることは，当業者にとって容易になし得ることである。
　よって，本願発明は，引用発明１，周知技術１に基づいて，当業者が容易に発明をすることのできたものである。
３　むすび
　以上の通り，本願発明は，特許法第２９条第２項の規定により特許を受けることができないものである。
　したがって，その余の請求項について検討するまでもなく，本願は拒絶すべきものである。
　よって，結論のとおり審決する。